(57)【要約】      （修正有）【課題】水が進入するのを防止し、電気回路の正常作業を確保する防水型コネクターを提供する。【解決手段】防水型コネクターは、金属内殻、絶縁本体、複数の導電端子、及び金属外殻を備える。金属内殻は基板、二つの側板、及び二つの蓋板を備え、二つの側板と基板を繞設して収納空間を形成し、基板には最低一つの嵌合支持孔を設け、嵌合支持孔の前端には制御体を備える。絶縁本体と導電端子はモジュール内一体成型とし、絶縁本体は金属内殻を内設する中空部を備え、金属内殻は中空部内に嵌設、中空部の後壁内側方向収納空間内には舌状板を延伸し、導電端子の一端は舌状板上に位置し、他の一端は絶縁本体から突出し、中空部の後方壁には貫通する開孔を設け、金属内殻は開孔から接地垂直片を延伸する。金属外殻は絶縁本体上に嵌設し、並びに、接地垂直片と圧接する。【選択図】図３
0003158296.tif 000002
【実用新案登録請求の範囲】
【請求項１】
金属内殻、絶縁本体、複数の導電端子、及び金属外殻を備える防水型コネクターにおいて、
前記金属内殻には基板を備え、基板の対称となる両側エッジにはそれぞれ折り曲がり延伸する側板を設け、二つの側板の基板から離れた側のエッジにはそれぞれ内側方向に折れ曲がり延伸する蓋板を備え、二つの蓋板、二つの側板、及び基板を繞設して収納空間を形成し、前記基板には最低一つの嵌合支持孔を設け、嵌合支持孔の前端には制御体を備え、絶縁本体と導電端子はモジュール内一体成型とし、
絶縁本体は金属内殻を内設する中空部を備え、金属内殻は中空部内に嵌設し、中空部の後壁内側方向収納空間内には舌状板を延伸し、導電端子の一端は舌状板上に位置し、他の一端は絶縁本体から突出し、中空部の後方壁には貫通する開孔を設け、金属内殻は開孔から接地垂直片を延伸し、金属外殻は絶縁本体上に嵌設し、並びに、接地垂直片と圧接することを特徴とする防水型コネクター。
【請求項２】
前記基板に正面対応する中空部壁内側の嵌合支持孔に対応する箇所に溝を設け、前記制御体を溝内に配置することを特徴とする請求項１記載の防水型コネクター。
【請求項３】
前記絶縁本体の外表面に突出体を設け、突出体に対応する金属外殻に凹口を設け、突出体は前記凹口に嵌合することを特徴とする請求項１記載の防水型コネクター。
【請求項４】
前記金属外殻の接地垂直片に対応する箇所に圧接部を設け、圧接部と接地垂直片を圧接することを特徴とする請求項１記載の防水型コネクター。
【請求項５】
接地垂直片は絶縁本体から延伸した後、折れ曲がり中空部の後方壁外側に密着し、圧接部は金属外殻から折れ曲がって延伸し、接地垂直片を弾力的に圧接することを特徴とする請求項４記載の防水型コネクター。
【考案の詳細な説明】
【技術分野】
【０００１】
本考案は電子機器のコネクターに関し、特に、防水型コネクターに係る。
【背景技術】
【０００２】
現有するコネクターは、金属殻体を備え、前記金属殻体内には絶縁本体を納め入れ、前記絶縁本体には複数の導電端子を設ける。金属殻体は、金属板をプレス、カット、折り曲げて製作し、基板を備え、前記基板の対称となる両側エッジをそれぞれ折り曲げて溶接足を延伸する。基板上には対応するプラグとロックする嵌合支持孔を設ける。
【考案の概要】
【考案が解決しようとする課題】
【０００３】
しかし、前記構造のコネクターは、水が溶接足と金属殻体の間の隙間および嵌合支持孔からコネクター内に進入し易く、電気回路のショートを引き起こしてコネクターを損傷させ易い。
【課題を解決するための手段】
【０００４】
本考案の目的は、前述の現有技術の欠点に対し防水型コネクターを提供することにある。
【０００５】
前述目的を実現する為に提供する本考案は防水型コネクターは、金属内殻、金属外殻、絶縁本体、及び複数の導電端子を備える。前記金属殻体には基板を備え、基板の対称となる両側エッジにはそれぞれ折り曲がり延伸する側板を設け、二つの側板の基板から離れた側のエッジにはそれぞれ内側方向に折れ曲がり延伸する蓋板を備え、二つの蓋板、二つの側板、及び基板を繞設して収納空間を形成し、基板には最低一つの嵌合支持孔を設け、嵌合支持孔の前端には制御体を備え、絶縁本体には金属内殻を内設する中空部を備え、金属内殻は中空部内に嵌設し、中空部の後壁には前方に延伸する舌状板を備え、舌状板は収納空間中を貫通し、導電端子は舌状板上に固定し、中空部には開孔を設け、金属内殻は開孔から接地垂直片を延伸し、接地垂直片は折れ曲がった状態で絶縁本体に嵌合固定し、金属外殻は絶縁本体上に嵌設、並びに、接地垂直片と圧接する。  
【考案の効果】
【０００６】
前述に示す通り、本考案の防水型コネクターの絶縁本体は、金属内殻を包み覆う中空部を備える故、水が嵌合支持孔からコネクターのＰＣＢボードへ進入するのを防止し、同時に、金属外殻と接地垂直片が圧接されている為、接地効果を充分にし、公知技術である金属殻体の溶接足の作用を代替し、溶接足と金属殻体間の隙間からＰＣＢボードへの水の進入を避けられ、電気回路の正常作業を確保する効果を持つ。
【図面の簡単な説明】
【０００７】
【図１】本考案の防水型コネクターに関する実施例の立体図である。
【図２】本考案の防水型コネクターに関する別の角度からの立体図である。
【図３】本考案の防水型コネクターの立体分解図である。
【図４】本考案の防水型コネクターに関する別の角度からの立体分解図である。
【図５】本考案の防水型コネクターに関する絶縁本体と導電端子のある角度からの装着配置図である。
【図６】本考案の防水型コネクターに関する導電端子のある角度からの立体図である。
【考案を実施するための形態】
【０００８】
本考案の技術内容、構造特徴、達成する目的、及び効果を詳細するため、以下に図面を参照として実施例を挙げて説明を行う。
【実施例】
【０００９】
図１と図２に示す通り、本考案の防水型コネクター１００は、金属内殻１０、絶縁本体２０、複数の導電端子３０、及び金属外殻４０を備える。絶縁本体２０と導電端子３０のモジュール内一体成型である。
【００１０】
図１〜図４に示す通り、金属内殻１０には基板１１を備え、基板１１の対称となる両側エッジにはそれぞれ折り曲がり延伸する側板１２を設け、二つの側板１２の基板１１から離れた側のエッジにはそれぞれ内側に折れ曲がり延伸する蓋板１３を備え、二つの蓋板１３、二つの側板１２、及び基板１１を繞設して収納空間１４を形成し、前端に近い基板１１に対称となる二つの嵌合支持孔１５を設け、嵌合支持孔１５の前端には外方向に延伸する制御体１６を備え、基板１１の後部には折り曲がり延伸する接地垂直片１７を設ける。
【００１１】
図１から図５に示す通り、絶縁本体２０には金属内殻１０を内設する中空部２１を備え、中空部２１の前端にはガイド部２２を設け、中空部２１の後壁の内側には前方に延伸する舌状板２３を備え、舌状板２３上には端子収納槽（未図示）を設け、舌状板２３は中空部２１を貫通する。中空部２１の後壁外側には対称となる二つの突出部２４を設け、二つの突出部２４間には凹部２５を形成し、中空部２１後壁の凹部２５に対応する箇所に開孔２６を設ける。基板１１に正面対応する中空部２１の壁外側には突出体２１１を設け、基板１１に正面対応する中空部２１壁内側において嵌合支持孔１５に対応する箇所に溝２１２を設け、蓋板１３に正面対応する中空部２１壁外側両側には嵌合部２７を設ける。
【００１２】
図６に示す通り、導電端子３０は長い棒状で、それには接触部３１、端子溶接部３２を備え、接触部３１と端子溶接部３２の間には湾曲部３３を備える。
【００１３】
図１〜図４に示す通り、金属外殻４０には基板１１と正面対応する外殻底板４１を備え、外殻底板４１の二つの相対する側面エッジにはそれぞれ折れ曲がり延伸する側壁４２を設け、二つの側壁４２の外殻底板４１から離れた一方側エッジにはそれぞれ内側方向に折れ曲がり延伸する嵌合アーム４３を設け、嵌合アーム４３には側壁４２との結合箇所から外側方向に延伸する溶接足４４を備え、溶接足４４に対応する側壁４２箇所に貫通孔４５を設け、凹部２５に対応する外殻底板４１箇所には凹口４６を備え、接地垂直片１７に対応する外殻底板４１後方部箇所には圧接部４７を設ける。
【００１４】
絶縁本体２０と導電端子３０がモジュール内一体成型である為、接触部３１は舌状板２３の端子収納槽（未図示）内に固定され、端子溶接部３２は絶縁本体２０の後方に露出し、装着時、金属内殻１０を中空部２１内に挿入するだけで制御体１６を溝２１２内に配置でき、接地垂直片１７は開孔２６から延伸して絶縁本体２０の凹部２５上に折り曲がった状態で嵌合固定する。その後、金属外殻４０を絶縁本体２０の上に嵌設すると、金属外殻４０の前端がガイド部２２を圧接し、嵌合アーム４３を嵌合部２７上に嵌設、凹口４６と突出体２１１を嵌合連結し、圧接部４７と接地垂直片１７は圧接し、これにより、装着が完了する。
【００１５】
前述した通り、本考案の防水型コネクター１００の絶縁本体２０は、金属内殻１０を包み覆う中空部２１を備える故、水が嵌合支持孔１５からコネクターのＰＣＢボード（未図示）へ進入するのを防止する。同時に、金属外殻４０と接地垂直片１７が圧接されている為、接地効果を充分にし、公知技術である金属殻体の溶接足の作用を代替し、溶接足と金属殻体の間の隙間からＰＣＢボードへの水の進入を避けられ、電気回路の正常作業を確保する。
【符号の説明】
【００１６】
１００  防水型コネクター
１０  金属内殻
１１  基板
１２  側板
１３  蓋板
１４  収納空間
１５  嵌合支持孔
１６  制御体
１７  接地垂直片
２０  絶縁本体
２１  中空部
２２  ガイド部
２３  舌状板
２４  突出部
２５  凹部
２６  開孔
２７  嵌合部
２１１  突出体
２１２  溝
３０  導電端子
３１  接触部
３２  端子溶接部
３３  湾曲部
４０  金属外殻
４１  外殻底板
４２  側壁
４３  嵌合アーム
４４  溶接足
４５  貫通孔
４６  凹口
４７  圧接部
【図１】
0003158296.tif 000003
【図２】
0003158296.tif 000004
【図３】
0003158296.tif 000005
【図４】
0003158296.tif 000006
【図５】
0003158296.tif 000007
【図６】
0003158296.tif 000008